(57)【要約】【課題】シートクッションに対して倒伏可能なシートバックを有するシートと、該シートの後方に設けられた収納用ボックスとを備えた車両の後部荷室構造において、シートバックの倒伏時に、シートバックと収納用ボックスとの隙間を容易に塞ぐことができる技術を提供する。【解決手段】車両の後部荷室構造１は、シートクッション２３に対して倒伏可能なシートバック２５を有するリアシート１１と、リアシートの後方に位置するサブトランク９と、カーペット部材１３と、リアシート１１とサブトランク９との間に設けられた板部１５ａを有するカーペット支持部材１５とを備えている。カーペット部材１３は、シートバック２５の背面と板部１５ａとの間に架け渡されている。通常状態のカーペット部材１３は下方に垂れた状態になる。倒伏状態のカーペット部材１３はゆるみなく張った状態になる。【選択図】  図５
2004291685.tif 000002
【特許請求の範囲】
【請求項１】
車両のフロア面と、シートクッションと該シートクッションの後端部にシートクッションに対して倒伏可能に取り付けられたシートバックとを有するシートと、該シートの後方における上記フロア面の上に設けられた収納用ボックスとを備えた車両の後部荷室構造であって、
上記シートと上記収納用ボックスとの間において該収納用ボックスの上記シート側の面に近接するように設けられた、車幅方向に延びる支持板と、
上記シートバックの背面と上記支持板との間に架設されている架橋部材とを備えたことを特徴とする車両の後部荷室構造。
【請求項２】
請求項１記載の車両の後部荷室構造において、
上記架橋部材は上記シートバックの背面を覆っていることを特徴とする車両の後部荷室構造。
【請求項３】
請求項１又は２記載の車両の後部荷室構造において、
上記フロア面には、前部が上記シートの下方に位置する凹部が形成され、
上記架橋部材は、上記シートバックが倒伏していない通常状態にあるときには、上記シートバックの背面と上記支持板との間にたるんだ状態で架設されている一方、上記シートバックが倒伏した倒伏状態にあるときには、上記たるみ部が張った状態になるように構成され、
上記凹部を車幅方向に横切るとともに車体に連結され、上記通常状態における上記たるみ部よりも前方に位置し、シートベルトのバックル部が連結されたクロスメンバーを備えたことを特徴とする車両の後部荷室構造。
【請求項４】
請求項３記載の車両の後部荷室構造において、
上記凹部はスペアタイヤが収納されるスペアタイヤパンであることを特徴とする車両の後部荷室構造。
【請求項５】
請求項１〜４のいずれか１つに記載の車両の後部荷室構造において、
上記支持板の上面は、上記収納用ボックスの上面と略同一平面にあることを特徴とする車両の後部荷室構造。
【請求項６】
請求項１〜５のいずれか１つに記載の車両の後部荷室構造において、
上記支持板の上面は、上記倒伏状態における上記シートバックの背面と略同一平面にあることを特徴とする車両の後部荷室構造。
【請求項７】
請求項１〜６のいずれか１つに記載の車両の後部荷室構造において、
上記シートバックの倒伏に伴って上記シートを下方に移動させるダイブダウン機構を備えたことを特徴とする車両の後部荷室構造。
【発明の詳細な説明】
【０００１】
【発明の属する技術分野】
本発明は、シートクッションに対して倒伏可能なようにシートクッションの後端部に取り付けられたシートバックを有するシートと、シートの後方に設けられた収納用ボックスとを備えた車両の後部荷室構造に関する。
【０００２】
【従来の技術】
従来より、リアシートと、リアシートの後方に設けられた荷物収納用ボックスとを備えた車両の後部荷室構造が知られている（例えば、特許文献１参照）。リアシートは、シートクッションと、シートクッションに対して前側に倒すことができるシートバックとからなる。荷物収納用ボックスは、容器部と、容器部の蓋として機能する蓋部とからなる。この蓋部は荷室の床部の役割も果たしている。蓋部の前端部には、車幅方向に延びる軸を回転軸として回転可能に構成された補助ボードが取り付けられている。
【０００３】
そして、シートバックを前側に倒したときには、補助ボードをシートバックの背面に架け渡し、リアシートと蓋部との隙間を塞ぐ。それにより、シート折り畳み時には、リアーシートの背面から蓋部に到る広い積載面を得ることができる。
【０００４】
【特許文献１】
特開２００１−３２８５７０号公報
【０００５】
【発明が解決しようとする課題】
しかしながら、上記後部荷室構造では、シートバックを前側に倒した場合に、リアシートと蓋部との隙間を塞ぐためには、補助ボードをシートバックの背面に架け渡す作業が必要であった。したがって、上記後部荷室構造においては、シートバックを前側に倒したときにリアシートと蓋部との隙間を塞ぐことができるものの、上記作業に煩わされることになる。
【０００６】
本発明は、かかる点に鑑みてなされたものであり、その目的とするところは、シートクッションに対して倒伏可能なシートバックを有するシートと、該シートの後方に設けられた収納用ボックスとを備えた車両の後部荷室構造において、シートバックの倒伏時に、シートバックと収納用ボックスとの隙間を容易に塞ぐことができる技術を提供することにある。
【０００７】
【課題を解決するための手段】
本発明に係る車両の後部荷室構造は、車両のフロア面と、シートクッションと該シートクッションの後端部にシートクッションに対して倒伏可能に取り付けられたシートバックとを有するシートと、該シートの後方における上記フロア面の上に設けられた収納用ボックスとを備えた車両の後部荷室構造であって、上記シートと上記収納用ボックスとの間において該収納用ボックスの上記シート側の面に近接するように設けられた、車幅方向に延びる支持板と、上記シートバックの背面と上記支持板との間に架設されている架橋部材とを備えたことを特徴とするものである。
【０００８】
これにより、架橋部材がシートバックの背面と支持板との間に架設されているため、シートバックの倒伏時においては、シートバックと収納用ボックスとの隙間が架橋部材で塞がれる。そのため、シートバックの倒伏時においては、シートバックと収納用ボックスとの隙間を塞ぐ作業を別途に行う必要がない。したがって、シートバックの倒伏時には、シートバックと収納用ボックスとの隙間を容易に塞ぐことができる。
【０００９】
ところで、架橋部材がシートバックの背面と収納用ボックスとの間に架設されている場合において、収納用ボックスを取り外すときには、架橋部材の収納用ボックスからの取り外しも行わなければならない。
【００１０】
ここで、本発明によれば、架橋部材がシートバックの背面と支持板との間に架設されているため、収納用ボックスを取り外すときには、架橋部材を収納用ボックスから取り外す必要がない。したがって、収納用ボックスを容易に取り外すことができる。
【００１１】
本発明に係る車両の後部荷室構造は更に、上記架橋部材は上記シートバックの背面を覆っていることを特徴とするものである。
【００１２】
これにより、架橋部材がシートバックの背面を覆っているため、架橋部材をシートバックの背面に対してより確実に固定することができる。したがって、架橋部材を、シートバックの背面と支持板との間により強固に架設することができる。
【００１３】
本発明に係る車両の後部荷室構造は更に、上記フロア面には、前部が上記シートの下方に位置する凹部が形成され、上記架橋部材が、上記シートバックが倒伏していない通常状態にあるときには、上記シートバックの背面と上記支持板との間にたるんだ状態で架設されている一方、上記シートバックが倒伏した倒伏状態にあるときには、上記たるみ部が張った状態になるように構成され、上記凹部を車幅方向に横切るとともに車体に連結され、上記通常状態における上記たるみ部よりも前方に位置し、シートベルトのバックル部が連結されたクロスメンバーを備えたことを特徴とするものである。
【００１４】
これにより、凹部を車幅方向に横切るとともに車体に連結されたクロスメンバーにシートベルトのバックル部が連結されているため、シートが凹部の上方に位置しているにも拘わらず、シートベルトの荷重を車体に入力することができる。したがって、乗員を確実に保持することができる。
【００１５】
また、クロスメンバが通常状態における架橋部材のたるみ部よりも前方に位置するため、通常状態における架橋部材とクロスメンバとは接触しない。
【００１６】
本発明に係る車両の後部荷室構造は更に、上記フロア面には、前部が上記シートの下方に位置する凹部が形成された車両の後部荷室構造において、上記凹部はスペアタイヤが収納されるスペアタイヤパンであることを特徴とするものである。
【００１７】
これにより、凹部にスペアタイヤを収納することができる。
【００１８】
本発明に係る車両の後部荷室構造は更に、上記支持板の上面が、上記収納用ボックスの上面と略同一平面にあることを特徴とするものである。
【００１９】
これにより、支持板の上面が収納用ボックスの上面と略同一平面にあるため、支持板の上面が収納用ボックスの上面と同一平面にない場合と比較して、支持板の上面の上と収納用ボックスの上面の上とに荷物等を安定した状態で積載することができる。
【００２０】
本発明に係る車両の後部荷室構造は更に、上記支持板の上面が、上記倒伏状態における上記シートバックの背面と略同一平面にあることを特徴とするものである。
【００２１】
これにより、シートバックが倒伏したときには支持板の上面がシートバックの背面と略同一平面にあるため、シートバック倒伏時において支持板の上面がシートバックの背面と同一平面にない場合と比較して、支持板の上面の上と架橋部材の上とシートバックの背面の上とに荷物等を安定した状態で積載することができる。
【００２２】
本発明に係る車両の後部荷室構造は更に、上記シートバックの倒伏に伴って上記シートを下方に移動させるダイブダウン機構を備えたことを特徴とするものである。
【００２３】
これにより、シートバックの倒伏に伴ってダイブダウン機構がシートを下方に移動させるため、シートバック倒伏時にはシートをコンパクトに格納することができる。
【００２４】
【発明の効果】
本発明によれば、架橋部材がシートバックの背面と支持板との間に架設されているため、シートバックの倒伏時においては、シートバックと収納用ボックスとの隙間が架橋部材で塞がれる。そのため、シートバックの倒伏時においては、シートバックと収納用ボックスとの隙間を塞ぐ作業を別途に行う必要がない。したがって、シートバックの倒伏時には、シートバックと収納用ボックスとの隙間を容易に塞ぐことができる。
【００２５】
また、架橋部材がシートバックの背面と支持板との間に架設されているため、収納用ボックスを取り外すときには、架橋部材を収納用ボックスから取り外す必要がない。したがって、収納用ボックスを容易に取り外すことができる。
【００２６】
また、架橋部材がシートバックの背面を覆っているため、架橋部材をシートバックの背面に対してより確実に固定することができる。したがって、架橋部材を、シートバックの背面と支持板との間により強固に架設することができる。
【００２７】
また、凹部を車幅方向に横切るとともに車体に連結されたクロスメンバーにシートベルトのバックル部が連結されているため、シートが凹部の上方に位置しているにも拘わらず、シートベルトの荷重を車体に入力することができる。したがって、乗員を確実に保持することができる。
【００２８】
また、クロスメンバが通常状態における架橋部材のたるみ部よりも前方に位置するため、通常状態における架橋部材とクロスメンバとは接触しない。
【００２９】
また、凹部にスペアタイヤを収納することができる。
【００３０】
また、支持板の上面が収納用ボックスの上面と略同一平面にあるため、支持板の上面が収納用ボックスの上面と同一平面にない場合と比較して、支持板の上面の上と収納用ボックスの上面の上とに荷物等を安定した状態で積載することができる。
【００３１】
また、シートバックが倒伏したときには支持板の上面がシートバックの背面と略同一平面にあるため、シートバック倒伏時において支持板の上面がシートバックの背面と同一平面にない場合と比較して、支持板の上面の上と架橋部材の上とシートバックの背面の上とに荷物等を安定した状態で積載することができる。
【００３２】
また、シートバックの倒伏に伴ってダイブダウン機構がシートを下方に移動させるため、シートバック倒伏時にはシートをコンパクトに格納することができる。
【００３３】
【発明の実施の形態】
以下、本発明の実施形態を図面に基づいて詳細に説明する。
【００３４】
本実施形態に係る自動車は、運転席と助手席とからなるフロントシートと、フロントシートの後方に設けられたミドルシートと、ミドルシートの後方に設けられるとともに左右に並んで配設された２つのリアシート１１，１１とを備えたものである。また、リアシート１１，１１の後方の空間は、荷室１ａを構成している。以下、２つのリアシート１１，１１を備えた車両の後部荷室構造１に着目して説明を行う。
【００３５】
図１〜図５に示すように、車両の後部荷室構造１は、車幅方向の両端側において車両前後方向（以下、前後方向と言う）に延びる左右のリアサイドフレーム３，３と、その両リアサイドフレーム３，３の間に車幅方向に延びるように設けられたクロスメンバー５と、これら両リアサイドフレーム３，３の上及びクロスメンバー５の上に設けられたリアフロアパネル７と、該リアフロアパネル７の上面の上に設けられたサブトランク９（図４及び図５を参照）と、サブトランク９の前方に設けられた上記各リアシート１１と、カーペットからなるカーペット部材１３と、カーペット部材１３の一端を支持するカーペット支持部材１５と、リアシート１１を支持する支持フレーム１７と、リアシート１１を下方に移動させるダイブダウン機構１９とを備えている。なお、本発明に係るフロア面はリアフロアパネル７の上面に対応し、収納用ボックスはサブトランク９に対応する。また、本実施形態においては、リアフロアパネル７も車両のフレームを構成する部材の１つである。
【００３６】
リアフロアパネル７の後部には凹部７ａが形成され、該凹部はスペアタイヤ２１を収納するためのスペアタイヤパン７ａを構成している。スペアタイヤパン７ａにはスペアタイヤ２１が収納されている。なお、図３に示すように、このスペアタイヤパン７ａよりも車両外側位置にリアサイドフレーム３，３が設けられ、スペアタイヤパン７ａよりも車両前方位置にクロスメンバー５が設けられている。
【００３７】
図４及び図５に示すように、スペアタイヤ２１の後部の上及びスペアタイヤパン７ａが形成された部分以外のリアフロアパネル７の上面の上には、樹脂等から構成された中空略直方体状のサブトランク９が載置されている。サブトランク９の後端の位置はスペアタイア２１の後端の位置にほぼ一致し、サブトランク９の長手方向は車幅方向とほぼ一致している。サブトランク９は箱状に形成された収納部９ａと、その収納部９ａの蓋として機能する蓋部９ｂとからなる。収納部９ａには荷物等を収納することができる。蓋部９ｂは荷室１ａの床としての役割も果たす。蓋部９ｂの上面は、カーペット部材１３と同じカーペット材で覆われている。蓋部９ｂの上面はカーペット支持部材１５の板部１５ａ（板部１５ａの詳細については後述する）の上面とほぼ同一平面上に位置する。後述するリアシート１１の下方移動時（図５を参照）においては、蓋部９ｂの上面はシートバック２５の背面ともほぼ同一平面上に位置する。なお、本発明に係る支持板は板部１５ａに対応する。
【００３８】
図１〜図５に示すように、左側のリアシート１１は、シートクッション２３と、シートクッション２３の後端部にシートクッション２３の上面に対して倒伏可能に取り付けられたシートバック２５とからなる。通常状態のシートクッション２３の後部（シートクッション２３の後部はシートクッション２３の後端部を含む）はスペアタイヤパン７ａの上方に位置する。ここで、「通常状態」とは、シートバック２５をシートクッション２３に対して倒伏させていない状態（図４を参照）、言い換えれば、乗員がリアシート１１に着座できる状態を言う。シートクッション２３は、パイプからなるシートクッションフレーム部２７と、シートクッションフレーム部２７に架設されたＳバネ２９と、シートクッションフレーム部２７の上及びＳバネ２９の上に載置されたクッション部３１（図４〜図７を参照）とを備えている。
【００３９】
シートクッションフレーム部２７は平面視で略コ字状に形成されている。シートクッションフレーム部２７は、前後方向に延びる平行部材２７ａ，２７ａと、車幅方向に延びる水平部材２７ｂとからなる。平行部材２７ａ，２７ａの後部には、ブラケット支持用部材２８，２８が固定されている。このブラケット支持用部材２８は、前後方向に延びる第１部材と、その第１部材の後端から後方に向かってシートクッション２３と反対側の方向（車両外側の方向）向きに延びる第２部材とからなる。ブラケット支持用部材２８はその横断面がコ字状に形成されている。ブラケット支持用部材２８は、シートクッションフレーム部２７の平行部材２７ａを囲うようにして平行部材２７ａに固定されている。
【００４０】
上記Ｓバネ２９は、リアシート１１の着座者の体重を支える役割を果たすものである。Ｓバネ２９は波状のバネで構成され、シートクッションフレーム部２７の平行部材２７ａ，２７ａの間に架設されている。本実施形態では、２つのＳバネ２９が平行部材２７ａ，２７ａの間に車幅方向に延びるように架け渡されている。上記クッション部３１はスポンジなどによって構成されている。
【００４１】
通常状態のシートバック２５はシートクッション２３に対してほぼ直角をなすように設けられ（図４を参照）、また、後述のナックル部６３のレバー６９を操作することにより前後方向に倒すことができるように構成されている。シートバック２５は、パイプからなるシートバックフレーム部３３と、シートバックフレーム部３３に架設されたバネ３５と、シートバックフレーム部３３及びバネ３５に取り付けられたクッション部３７とを備えている。
【００４２】
シートバックフレーム部３３は枠状に形成され、通常状態のときにほぼ鉛直方向に延びる鉛直部材３３ａ，３３ａと、水平方向に延びる水平部材３３ｂ，３３ｂとからなる。シートバックフレーム部３３の鉛直部材３３ａ，３３ａには、鉛直部材３３ａ，３３ａと同じ方向に延びる第１ステー支持用部材３４，３４が固定されている。この第１ステー支持用部材３４はその横断面がコ字状に形成されている。そして、第１ステー支持用部材３４は、シートバックフレーム部３３の鉛直部材３３ａを囲うようにして鉛直部材３３ａに固定されている。シートバック２５の上端部はヘッドレスト２５ａを構成している（図３を参照）。シートバック２５の背面は、カーペット部材１３で覆われている（図４、図５、及び図７を参照）。なお、右側のリアシート１１も、左側のリアシート１１とほぼ同様の構成である。
【００４３】
図４及び図５に示すように、上記カーペット部材１３は、シートバック２５の背面と、サブトランク９とリアシート１１との間に設けられた上記板部１５ａとの間に架け渡されている。より詳しく説明すると、カーペット部材１３は、左側のリアシート１１におけるシートバック２５の背面と板部１５ａとの間に架設された左側カーペット部材と、右側のリアシート１１におけるシートバック２５の背面と板部１５ａとの間に架設された右側カーペット部材とからなる。そして、カーペット部材１３の一部がシートバック２５の背面を覆い、カーペット部材１３の一端部が板部１５ａに固定されている。また、図４に示すように、通常状態のカーペット部材１３は下方に垂れた状態になり、その垂れた部分がたるみ部１３ａを構成している。一方、図５に示すように、倒伏状態のカーペット部材１３のたるみ部１３ａはゆるみなく張った状態になる。ここで、「倒伏状態」とは、シートバック２５がシートクッション２３に対して倒伏した状態、言い換えれば、リアシート１１が下方に移動した状態を言う。
【００４４】
図１〜図５に示すように、上記カーペット支持部材１５は、車幅方向に延びる略長方形状の板部１５ａと、その板部１５ａを支持する脚部１５ｂ，１５ｂとによって構成されている。板部１５ａはサブトランク９の蓋部９ｂにおけるリアシート１１側の面との間にほとんど隙間なく設けられ、その上面が蓋部９ｂの上面とほぼ同一平面上に位置している（図４及び図５を参照）。すなわち、板部１５ａの上面は蓋部９ｂの上面にほぼ連続している。板部１５ａの両端部はそれぞれ、棒状体からなる脚部１５ｂ，１５ｂによって支持されている。これらの脚部１５ｂ，１５ｂは側面視で略Ｌ字状に形成され、それぞれが後述する左側及び右側フレーム４３，４５の縦板部４３ａに固定されている。
【００４５】
上記支持フレーム１７はリアフロアパネル７の上面の上に設けられ、リアシート１１のシートクッション２３とは所定の距離だけ離れている。支持フレーム１７は、車幅方向に延びる前側フレーム３９と、前側フレーム３９の後方に位置するとともに車幅方向に延びるアンカーメンバー４１と、車幅方向の左端側において前後方向に延びる左側フレーム４３と、車幅方向の右端側において前後方向に延びる右側フレーム４５と、左側及び右側フレーム４３，４５の間を前後方向に延びる中央フレーム４７とを備えている。前側フレーム３９、アンカーメンバー４１、左側フレーム４３、及び右側フレーム４５は、平面視で井桁状に形成されている。なお、本発明に係るクロスメンバーはアンカーメンバー４１に対応する。
【００４６】
アンカーメンバー４１はシートクッション２３の後部の下方に位置するとともに、スペアタイヤパン７ａの上方を車幅方向に横切っている。図１及び図２に示すように、アンカーメンバー４１は、車両の前側（後側）から見たときに、略ハット状になるように形成されている。すなわち、アンカーメンバー４１は、リアフロアパネル７とほぼ平行に延びる端部４１ａ，４１ａと、各端部４１ａ，４１ａの一端から車幅方向の中央部に向かって上向きに傾斜する傾斜部４１ｂ，４１ｂと、各傾斜部４１ｂ，４１ｂの間に設けられるとともにリアフロアパネル７とほぼ平行に延びる中央部４１ｃとからなる。アンカーメンバー４１の各端部４１ａ，４１ａはそれぞれ、左側及び右側フレーム４３，４５を介して左右のリアサイドフレーム３，３に連結されている。より詳しく説明すると、左側及び右側フレーム４３，４５の縦板部４３ａ，４３ａに形成された貫通孔４３ｃ，４３ｃのそれぞれにアンカーメンバー４１の各端部４１ａ，４１ａが差し込まれ、それにより、アンカーメンバーの各端部４１ａ，４１ａはそれぞれ左側及び右側フレーム４３，４５に固定されている。ここで、左側及び右側フレーム４３，４５はそれぞれ左右のリアサイドフレーム３，３に連結されている（左側及び右側フレーム４３，４５と左右のリアサイドフレーム３，３との連結の詳細に関しては後述する）。すなわち、アンカーメンバー４１の両端部４１ａ，４１ａはそれぞれ左側及び右側フレーム４３，４５を介して左右のリアサイドフレーム３，３に連結されていることになる。
【００４７】
また、図２及び図３に示すように、アンカーメンバー４１の車幅方向の中央部付近には、シートベルトのバックル部４９が２つ取り付けられている。図８及び図９に示すように、バックル部４９は、板状体からなるブラケット５１と、一端部がブラケット５１に取り付けられたウエビング５３と、ウエビング５３の他端部に取り付けられたバックル本体５５とを備えている。ブラケット５１は、アンカーメンバー４１の下面にボルト等で固定された水平部と、その水平部の後端から後方に向かって上向きに傾斜する傾斜部とからなる。傾斜部には貫通孔５１ａが形成されている。ウエビング５３の一端部はその貫通孔５１ａに通された後に折り返され、その重なった部分が糸等で縫い止められている。ウエビング５３の他端部はシートクッション２３とシートバック２５との間を通され、リアシート１１の着座面側に出ている（図９を参照）。バックル本体５５は、シートベルトのタングプレート（図示せず）を差し込み可能なように構成されている。
【００４８】
図１〜図３に示すように、上記左側フレーム４３は、その横断面が略コ字状に形成されている。左側フレーム４３は、鉛直方向（上下方向）に延びる縦板部４３ａ，４３ａと、下面がリアフロアパネル７の上面とほぼ同一平面上に位置する横板部４３ｂとからなる。各縦板部４３ａ，４３ａの後部は、鉛直方向の長さが前部よりも大きい。各縦板部４３ａ，４３ａの後部には上述した貫通孔４３ｃ，４３ｃが形成されている。
【００４９】
左側フレーム４３は左側のリアサイドフレーム３に連結されている。より詳しく説明すると、図１０に示すように、左側フレーム４３の前端部はボルト等でリアフロアパネル７に固定されている。左側フレーム４３の後端部はフレーム固定用部材４２に溶接され、そのフレーム固定用部材４２がボルト等でリアフロアパネル７に固定されている。すなわち、左側フレーム４３の前端部はリアフロアパネル７を介して左側のリアサイドフレーム３に連結され、後端部はフレーム固定用部材４２及びリアフロアパネル７を介して左側のリアサイドフレーム３に連結されている。図１〜図３に示すように、左側フレーム４３の前端部はカバー４６で覆われている。なお、右側フレーム４５も、左側フレーム４３とほぼ同様の構成である。
【００５０】
図１〜図５に示すように、上記中央フレーム４７はシートクッション２３の下方に該シートクッション２３との間に所定の間隔を開けて設けられている。より詳しく説明すると、中央フレームはシートクッション２３の下方にＳバネ２９と所定の間隔だけ離して設けられている。中央フレーム４７は、その横断面が略コ字状に形成されている。中央フレーム４７は、下面がリアフロアパネル７の上面とほぼ同一平面上に位置する水平部４７ａと、その水平部４７ａの後端から後方に向かって上向きに傾斜する傾斜部４７ｂとを備えている。水平部４７ａの前端部は、車両前方に向かって落ち込んだリアフロアパネル７の上面に沿って延びている。水平部４７ａの後端部はスペアタイヤパン７ａの前端部の上方に位置している。傾斜部４７ｂもスペアタイヤパン７ａの前端部の上方に位置している。傾斜部４７ｂの後端部は、略長方形状の板状体からなるフレーム固定用部材４７ｃを構成している。
【００５１】
中央フレーム４７の前端部はクロスメンバー５に連結され、後端部はアンカーメンバー４１に連結されている。より詳しく説明すると、図１１に示すように、水平部４７ａの前端部はボルト等でリアフロアパネル７に固定されている。すなわち、水平部４７ａの前端部はリアフロアパネル７を介してクロスメンバー５に連結されている。なお、図１〜図５に示すように、中央フレーム４７の前端部はカバー４８で覆われている。また、図１２に示すように、中央フレーム４７の後端部に該当するフレーム固定用部材４７ｃは、ボルト等でアンカーメンバー４１の上面に固定されている。
【００５２】
図１〜図３に示すように、左側のリアシート１１に設けられたダイブダウン機構１９は、左右のシートレッグ５７，５７と、左右のブラケット５９，５９と、左右のステー６１，６１と、左右のステー６１，６１のうち左側のステー６１のみに設けられたナックル部６３とを備えている。
【００５３】
左側のシートレッグ５７は略長方形状の板状体によって構成されている。このシートレッグ５７の上端部はシートクッション２３の左側面の前端部に回転可能に支持されている。シートレッグ５７の下端部は、左側フレーム４３上に設けられた第１レッグ支持用部材４４に、車幅方向に延びる回転軸Ｏ２を中心として回転可能に支持されている。より詳しく説明すると、シートレッグ５７の上端部は、シートクッション２３の平行部材２７ａを囲むように取り付けられた断面コ字状の第２レッグ支持用部材２４に回動可能に支持されている。この第２レッグ支持用部材２４は水平方向に延びる平行部材と、鉛直方向に延びる鉛直部材とからなる。そして、シートレッグ５７の上端部は、その鉛直部材に枢支されている。また、第１レッグ支持用部材４４は、左側フレーム４３の横板部４３ｂの上面に固定された横板材と、鉛直方向に延びる縦板材とからなる。そして、シートレッグ５７の下端部は、その縦板材に枢支されている。なお、右側のシートレッグ５７も、左側のシートレッグ５７とほぼ同様の構成である。
【００５４】
左側のブラケット５９は、水平方向に延びる水平部材５９ａと、ほぼ鉛直方向に延びる鉛直部材５９ｂとからなる。このブラケット５９は、その横断面が略コ字状に形成されている。ブラケット５９の鉛直部材５９ｂの上端部は、シートバック２５の左側面の下端部に、車幅方向に延びる回転軸Ｏ３を中心として回転可能に支持されている。ブラケット５９の水平部材５９ａは、シートクッション２３の左側面の後端部に固定されている。より詳しく説明すると、鉛直部材５９ｂの上端部は、上述の第１ステー支持用部材３４の左側面の下端部に回転軸Ｏ３を中心として回動可能に支持されている。また、水平部材５９ａは、上述のブラケット支持用部材２８を介してシートクッション２３の平行部材２７ａに固定されている。なお、右側のブラケット５９も、左側のブラケット５９とほぼ同様の構成である。
【００５５】
左側のステー６１は、シートバック２５における車両外側部を、車幅方向に延びる回転軸Ｏ１を中心として回動可能に支持するものである。言い換えれば、左側のステー６１は、シートバック２５における車両外側部を回転軸Ｏ１を中心として前後方向に揺動可能に支持するものである。左側のステー６１は板状体によって構成され、ブラケット５９よりも車両内側位置に設けられている。このステー６１は、その上部がシートバック２５の左側面の下部に固定されている。より詳しく説明すると、ステー６１の上部は、左側の第１ステー支持用部材３４の左側面の下部に固定されている。また、ステー６１の下端部は後述のナックル本体６５に固定されている。
【００５６】
上記ナックル部６３は左側のステー６１よりも車両内側位置に設けられている。ナックル部６３は、側面視で略円状に形成されたナックル本体６５と、左側のステー６１とナックル本体６５との間に介在するナックルプレート６７と、レバー６９とからなる（図１３を参照）。ナックル本体６５は回転軸Ｏ１を中心として回転可能に構成され、このナックル本体６５を介して左側のステー６１は回転軸Ｏ１を中心として回転することができる。ナックル本体６５の下端部には切り欠き部６５ａが形成されている。レバー６９の先端には爪部６９ａが設けられている。この爪部６９ａは、通常状態のときにはナックル本体６５の切り欠き部６５ａに引っ掛かっている。このとき、左側のステー６１は回転軸Ｏ１を中心として回転することができない。また、リアシート１１の下方移動時においては、レバー６９を操作することにより、爪部６９ａが切り欠き部６５ａから外される。このとき、左側のステー６１は回転軸Ｏ１を中心として回転することができる。
【００５７】
図１〜図３に示すように、右側のステー６１は、シートバック２５における車両内側部を回転軸Ｏ１を中心として回動可能に支持するものである。言い換えれば、右側のステー６１は、シートバック２５における車両内側部を回転軸Ｏ１を中心として前後方向に揺動可能に支持するものである。このステー６１は、右側のブラケット５９よりも車両外側位置に設けられている。ステー６１は、その上部がシートバック２５の右側面の下部に固定されている。より詳しく説明すると、ステー６１の上部は、右側の第１ステー支持用部材３４の右側面の下部に固定されている。また、図１４に示すように、ステー６１の下端部は、第２ステー支持用部材６２に回転可能に支持されている。この第２ステー支持用部材６２はＬ字部材６２ａとコ字部材６２ｂとからなる。Ｌ字部材６２ａはアンカーメンバー４１の下面と背面とを覆うようにしてアンカーメンバー４１に取り付けられ、アンカーメンバー４１の下面にボルト等で固定されている。コ字部材６２ｂはアンカーメンバー４１の背面に対して垂直をなすように設けられている。コ字部材６２ｂは、鉛直方向に延びる縦板部と、水平方向に延びる横板部とからなる。そして、この縦板部にステー６１の下端部が枢支されている。また、リアシート１１のシートバック２５は、アンカーメンバー４１、第２ステー支持用部材６２及び右側ステー６１を介して中央フレーム４７の傾斜部４７ｂに連結されている。
【００５８】
なお、右側のリアシート１１に設けられたダイブダウン機構１９も、左側のリアシート１１に設けられたダイブダウン機構１９とほぼ同様の構成である。ただし、右側のリアシート１１に設けられたダイブダウン機構１９においては、左右のステー６１，６１のうち右側のステー６１のみにナックル部６３が設けられている。
【００５９】
また、リアシート１１，１１の下方移動時において、リアシート１１，１１を図５及び図７に示す倒伏状態の位置まで下方移動させることができるように、支持フレーム１７の各部材３９，４１，４３，４５，４７の寸法・形状・取り付け位置と、シートクッション２３と中央フレーム４７との距離と、ダイブダウン機構１９の各部材５７，５９，６１の寸法・形状・取り付け位置とは決定されている。
【００６０】
−シートの下方移動時の動作−
ここで、リアシート１１，１１を下方に移動させるときの動作について説明する。
【００６１】
まず、左右のリアシート１１，１１のナックル部６３のレバー６９を操作することにより、レバー６９の爪部６９ａをナックル本体６５の切り欠き部６５ａから外す。それにより、シートバック２５は前側に倒すことが可能になる。
【００６２】
次に、図４及び図６に示す通常状態の位置にあるシートバック２５を前側に倒していく。つまり、シートバック２５を回転軸Ｏ１を中心として前側に回転させる。すると、シートクッション２３の前端部に回転可能に支持されたシートレッグ５７，５７が回転軸Ｏ２を中心として前側に回転する。また、シートクッション２３が回転軸Ｏ３を中心としてシートバック２５に対して相対回転する。それにより、シートバック２５が前側に倒れていくのに伴い、シートクッション２３は前方に移動しながら下方に移動する。
【００６３】
そして、図５及び図７に示すように、シートバック２５の着座側面がシートクッション２３の上面の上に重なるのとほぼ同時に、シートクッション２３の倒伏状態の位置への移動が完了する。移動完了後、シートクッション２３は、前側フレーム３９、左側フレーム４３、右側フレーム４５、及び中央フレーム４７の上に載っている。また、図５に示すように、移動完了後、シートクッション２３の後端は中央フレーム４７の傾斜部４７ｂよりも前方に位置する。
【００６４】
さらに、図４及び図６に示す通常状態の位置にあるシートバック２５を前側に倒していくと、シートクッション２３は前方に移動しつつ下方に移動するため、カーペット部材１３のたるみ部１３ａは徐々に張っていく。そして、リアシート１１，１１の下方移動が完了すると、カーペット部材１３のたるみ部１３ａはぴんと張る（図５を参照）。それにより、シートバック２５の上面とカーペット部材１３のたるみ部１３ａとカーペット支持部材１５の板部１５ａの上面と蓋部９ｂの上面とがほぼ同一平面上に位置する。すなわち、シートバック２５とサブトランク９との隙間がカーペット部材１３で塞がれる。
【００６５】
以上により、本実施形態によれば、カーペット部材１３がシートバック２５の背面とカーペット支持部材１５の板部１５ａとの間に架設されているため、シートバック２５の倒伏時においては、シートバック２５とサブトランク９との隙間がカーペット部材１５で塞がれる。そのため、シートバック２５の倒伏時においては、シートバック２５とサブトランク９との隙間を塞ぐ作業を別途に行う必要がない。したがって、シートバック２５の倒伏時には、シートバック２５とサブトランク９との隙間を容易に塞ぐことができる。
【００６６】
また、カーペット部材１３がシートバック２５の背面を覆っているため、カーペット部材１３をシートバック２５の背面に対してより確実に固定することができる。したがって、カーペット部材１３を、シートバック２５の背面とカーペット支持部材１５の板部１５ａとの間により強固に架設することができる。
【００６７】
また、カーペット部材１３がシートバック２５の背面と板部１５ａとの間に架設されているため、サブトランク９を取り外すときには、カーペット部材１３をサブトランク９から取り外す必要がない。したがって、サブトランク９を容易に取り外すことができる。
【００６８】
また、スペアタイヤパン７ａを車幅方向に横切るとともにリアサイドフレーム３，３に連結されたアンカーメンバー４１にシートベルトのバックル部４９が連結されているため、リアシート１１がスペアタイヤパン７ａの上方に位置しているにも拘わらず、シートベルトの荷重を車体に入力することができる。したがって、乗員を確実に保持することができる。
【００６９】
また、アンカーメンバー４１が通常状態におけるカーペット部材１３のたるみ部１３ａよりも前方に位置するため、通常状態におけるカーペット部材１３とアンカーメンバー４１とは接触しない。
【００７０】
また、板部１５ａの上面がサブトランク９の上面と略同一平面にあるため、板部１５ａの上面がサブトランク９の上面と同一平面にない場合と比較して、板部１５ａの上面の上とサブトランク９の上面の上とに荷物等を安定した状態で積載することができる。
【００７１】
また、シートバック２５が倒伏したときには板部１５ａの上面がシートバック２５の背面と略同一平面にあるため、シートバック２５倒伏時において板部１５ａの上面がシートバック２５の背面と同一平面にない場合と比較して、板部１５ａの上面の上とカーペット部材１３の上とシートバック２５の背面の上とに荷物等を安定した状態で積載することができる。
【００７２】
また、シートバック２５の倒伏に伴ってダイブダウン機構１９がリアシート１１を下方に移動させるため、シートバック２５倒伏時にはリアシート１１をコンパクトに格納することができる。
【００７３】
なお、本実施形態では、自動車に３列のシートが設けられているが、２列又は４列以上のシートが設けられてもよい。
【００７４】
また、本実施形態では、本発明にかかる架橋部材がカーペット部材１３で構成されているが、装飾性とある程度の柔軟性とを有するものであれば、如何なるもの、例えば、ゴム部材で架橋部材が構成されてもよい。
【図面の簡単な説明】
【図１】実施形態に係る車両の後部荷室構造の斜視図である。
【図２】実施形態に係る車両の後部荷室構造の斜視図である。
【図３】実施形態に係る車両の後部荷室構造の上面図である。
【図４】実施形態に係る車両の後部荷室構造のシート展開時の縦断面図である。
【図５】実施形態に係る車両の後部荷室構造のシート折り畳み時の縦断面図である。
【図６】実施形態に係る車両の後部荷室構造のシート展開時の横断面図である。
【図７】実施形態に係る車両の後部荷室構造のシート折り畳み時の横断面図である。
【図８】実施形態に係るシートベルトのバックル部の斜視図である。
【図９】実施形態に係る車両の後部荷室構造のシート展開時の縦断面図である。
【図１０】実施形態に係る左側フレームの斜視図である。
【図１１】実施形態に係る中央フレームの前端部の斜視図である。
【図１２】実施形態に係る中央フレームの後端部の斜視図である。
【図１３】実施形態に係るナックル部の側面図である。
【図１４】実施形態に係る第２ステー支持用部材の斜視図である。
【符号の説明】
１      車両の後部荷室構造
７      リアフロアパネル（フロア面）
７ａ    スペアタイアパン（凹部）
９      サブトランク（収納用ボックス）
１１    リアシート
１３    カーペット部材
１５ａ  板部（支持板）
１９    ダイブダウン機構
２５    シートバック
４９    シートベルトのバックル部
【図１】
2004291685.tif 000003
【図２】
2004291685.tif 000004
【図３】
2004291685.tif 000005
【図４】
2004291685.tif 000006
【図５】
2004291685.tif 000007
【図６】
2004291685.tif 000008
【図７】
2004291685.tif 000009
【図８】
2004291685.tif 000010
【図９】
2004291685.tif 000011
【図１０】
2004291685.tif 000012
【図１１】
2004291685.tif 000013
【図１２】
2004291685.tif 000014
【図１３】
2004291685.tif 000015
【図１４】
2004291685.tif 000016